(57)【要約】【課題】  漏洩物貯留タンク内の油と水を簡単に分離して油の漏れ出しを最少限に抑え、人手をかけずに漏洩物貯留タンクから水だけを排出させる。【解決手段】  基台１及び上方が開口していて内部に液体を貯留可能な箱状をした漏洩物貯留タンク２を、エンジン，該エンジンにより駆動される作業機本体及び前記エンジンに燃料を供給する燃料タンクを備えたエンジン作業機の下側に設ける。その漏洩物貯留タンク２の側壁内側に油水分離排出装置３を設ける。油水分離排出装置３は、筒状をしていて上方が開口し、下端部に前記漏洩物貯留タンク２と連通する連通孔４を有し、前記側壁側の上端部に液体を排出するための切欠５を有する。【選択図】        図１
2014159798.tif 000002
【特許請求の範囲】
【請求項１】
エンジン，該エンジンにより駆動される作業機本体及び前記エンジンに燃料を供給する燃料タンクを備えたエンジン作業機の漏洩物貯留タンクであって、
上方が開口していて内部に液体を貯留可能な箱状をしていて、前記エンジン作業機の下側に設けられ、その側壁内側に油水分離排出装置が設けられており、該油水分離排出装置は、筒状をしていて上方が開口し、下端部に前記漏洩物貯留タンクと連通する連通部を有し、前記側壁側の上端部に液体の排出部を有していることを特徴とするエンジン作業機の漏洩物貯留タンク。
【請求項２】
前記漏洩物貯留タンクの底板の、前記油水分離排出装置が設けられた部分が、前記漏洩物貯留タンクの側壁側が高くなるように傾斜していることを特徴とする請求項１に記載のエンジン作業機の漏洩物貯留タンク。
【請求項３】
前記油水分離排出装置の上を仕切板で覆ったことを特徴とする請求項１又は２に記載のエンジン作業機の漏洩物貯留タンク。
【請求項４】
前記連通部として、前記油水分離排出装置の底部をすべて開放させたことを特徴とする請求項１，２又は３に記載のエンジン作業機の漏洩物貯留タンク。
【請求項５】
エンジン，該エンジンにより駆動される作業機本体及び前記エンジンに燃料を供給する燃料タンクを備えたエンジン作業機の漏洩物貯留タンクであって、
上方が開口していて内部に液体を貯留可能な箱状をしていて、前記エンジン作業機の下側に設けられ、その側壁外側に油水分離排出装置が設けられており、該油水分離排出装置は、有底筒状をしていて上方が開口し、下端部に前記漏洩物貯留タンクと連通する連通孔を有し、壁面の高さを前記側壁の高さより低くしたことを特徴とするエンジン作業機の漏洩物貯留タンク。
【請求項６】
前記油水分離排出装置の底面が、前記側壁から離れた側が高くなるように傾斜していることを特徴とする請求項５に記載のエンジン作業機の漏洩物貯留タンク。
【発明の詳細な説明】
【技術分野】
【０００１】
本発明は、エンジン駆動の圧縮機，発電機，溶接機等の作業機本体を筐体内に配置したエンジン作業機において、燃料，エンジンオイル，冷却水等が漏洩しても、漏洩物が外部に流出しないように漏洩物を貯めておくための漏洩物貯留タンクに関するものである。
【背景技術】
【０００２】
道路工事等の現場では、エンジン駆動の圧縮機，発電機，溶接機等の作業機本体を筐体内に配置したエンジン作業機が稼働している。そのようなエンジン作業機では、内部で多量の燃料，エンジンオイルを用いており、故障や誤操作等によりそれらの燃料やエンジンオイルが外部に漏れ出ると、周囲の環境を害してしまう。そのため、燃料やエンジンオイル等が外部に漏れ出ることがないように、エンジン作業機の下部に漏洩物貯留タンクを設けて、エンジンや作業機本体等から燃料やエンジンオイルが漏れ出ても、それらを漏洩物貯留タンクに溜めておくようにしている。
【０００３】
そのような漏洩物貯留タンクを備えたエンジン作業機では、漏洩物貯留タンク内の液量を監視して、内部に溜まった液体が漏洩物貯留タンクから溢れ出す前に、別の容器に回収する必要がある。従来、そのような漏洩物の管理を容易にするため、特許文献１には、次のようなエンジン作業機が提案されている。
【０００４】
図１２は、従来の漏洩物貯留タンクを備えたエンジン作業機を示す図である。図１２において、１１はエンジン、１２は発電機、１３は燃料タンク、１４，１６は排気管、１５はマフラ、１７は冷却ファン、１８はラジエータ、１９は排気ダクト、２０はベース、２３は漏洩物貯留タンク、２４はマス部、２５は側壁、２６は自在エルボ、２７はパイプ部材、２８はガード部材である。
【０００５】
このエンジン作業機は、エンジン発電機として示しており、ベース２０の上部にエンジン１１，発電機１２とを備えている。発電機１２は、エンジン１１により駆動され、各種の外部負荷に給電する。エンジン１１の排気ガスは、排気管１４，マフラ１５，排気管１６を介して外部に排出される。冷却ファン１７による冷風は、エンジンルーム内からラジエータ１８を冷却した後、排気ダクト１９を通って外部に排出される。
【０００６】
そのようなエンジン作業機のベース２０の下部には、エンジン１１に燃料を供給する燃料タンク１３と、燃料，エンジンオイル等の漏洩物の外部への漏洩を遮断する箱形の漏洩物貯留タンク２３を備えている。そして、漏洩物貯留タンク２３の下部に、漏洩物貯留タンク２３の側壁２５を貫通して内外を連通する自在エルボ２６を設け、該自在エルボ２６の外側に透明で可撓性を有するパイプ部材２７を接続するとともに、漏洩物貯留タンク２３の上部に、パイプ部材２７の上部を係脱可能に係止する挿通孔２９を設けている。
【０００７】
このような透明で可撓性を有するパイプ部材２７を設けたことにより、安価な構造で漏洩物貯留タンク２３内の液面の高さを外側から視認できる。また、雨天時にケーシング内に雨水が浸入したり、燃料系統から燃料漏れが発生したりして、漏洩物貯留タンク２３内の液面が高くなったときは、パイプ部材２７の上部を挿通孔２９から抜き取り、自在エルボ２６を回動させ、パイプ部材２７を屈曲させて倒すという簡単な操作で、漏洩物貯留タンク２３内の液体を適宜な容器に回収することができる。
【先行技術文献】
【特許文献】
【０００８】
【特許文献１】特開２０１１−２３６７４８号公報
【発明の概要】
【発明が解決しようとする課題】
【０００９】
しかしながら、上記従来の漏洩物貯留タンクを備えたエンジン作業機では、漏洩物貯留タンクが満杯になって、漏洩物貯留タンクから液体を容器に移す際に、エンジン作業機の設置場所まで行って、パイプ部材２７を挿通孔２９から外し、パイプ部材２７を手作業で回転させたり屈曲させたりする必要があって、手間がかかるという問題点があった。
【００１０】
また、こぼれた燃料やエンジンオイル等の油が漏洩物貯留タンク２３内に溜まった状態で、雨水が漏洩物貯留タンク２３内に浸入して満杯になったとき、雨水より軽い油が漏洩物貯留タンク２３の上層に溜まっているため、パイプ部材２７による抜き取り操作を怠たると、漏れ出させてはいけない油から先に漏れ出してしまうという問題点もあった。
【００１１】
本発明は、そのような問題点に鑑み、漏洩物貯留タンク内の油と水を簡単に分離して油の漏れ出しを最少限に抑え、人手をかけずに漏洩物貯留タンクから水だけを排出させることを目的とするものである。
【課題を解決するための手段】
【００１２】
前記課題を解決するため、本願の請求項１にかかる発明は、エンジン，該エンジンにより駆動される作業機本体及び前記エンジンに燃料を供給する燃料タンクを備えたエンジン作業機の漏洩物貯留タンクであって、上方が開口していて内部に液体を貯留可能な箱状をしていて、前記エンジン作業機の下側に設けられ、その側壁内側に油水分離排出装置が設けられており、該油水分離排出装置は、筒状をしていて上方が開口し、下端部に前記漏洩物貯留タンクと連通する連通部を有し、前記側壁側の上端部に液体の排出部を有していることを特徴とする。
【００１３】
また、本願の請求項２にかかる発明は、請求項１にかかる発明において、前記漏洩物貯留タンクの底板の、前記油水分離排出装置が設けられた部分が、前記漏洩物貯留タンクの側壁側が高くなるように傾斜していることを特徴とする。
【００１４】
また、本願の請求項３にかかる発明は、請求項１又は２にかかる発明において、前記油水分離排出装置の上を仕切板で覆ったことを特徴とする。
【００１５】
また、本願の請求項４にかかる発明は、請求項１，２又は３にかかる発明において、前記連通部として、前記油水分離排出装置の底部をすべて開放させたことを特徴とする。
【００１６】
また、本願の請求項５にかかる発明は、エンジン，該エンジンにより駆動される作業機本体及び前記エンジンに燃料を供給する燃料タンクを備えたエンジン作業機の漏洩物貯留タンクであって、上方が開口していて内部に液体を貯留可能な箱状をしていて、前記エンジン作業機の下側に設けられ、その側壁外側に油水分離排出装置が設けられており、該油水分離排出装置は、有底筒状をしていて上方が開口し、下端部に前記漏洩物貯留タンクと連通する連通孔を有し、壁面の高さを前記側壁の高さより低くしたことを特徴とする。
【００１７】
また、本願の請求項６にかかる発明は、請求項５にかかる発明において、前記油水分離排出装置の底面が、前記側壁から離れた側が高くなるように傾斜していることを特徴とする。
【発明の効果】
【００１８】
本発明は、次のような効果を奏する。
すなわち、請求項１にかかる発明においては、エンジン作業機の下側に設けられた漏洩物貯留タンクの側壁内側に、筒状をしていて上方が開口し、下端部に前記漏洩物貯留タンクの内部と連通する連通部を有し、上端外側に排出部を有する油水分離排出装置を設けたので、油水分離排出装置により漏洩物貯留タンク内の油と水を簡単に分離して油の漏れ出しを最少限に抑え、人手をかけずに漏洩物貯留タンクから水だけを排出させることができる。
【００１９】
また、請求項２にかかる発明においては、請求項１にかかるエンジン作業機の漏洩物貯留タンクにおいて、漏洩物貯留タンクの底板の、油水分離排出装置が設けられた部分が、漏洩物貯留タンクの側壁に近い側が高くなるように傾斜しているので、傾斜部により油水分離排出装置内に入る油の量が少なくなるため、排出部から漏れ出る油の量がより少なくなる。
【００２０】
また、請求項３にかかる発明においては、請求項１又は２にかかるエンジン作業機の漏洩物貯留タンクにおいて、油水分離排出装置の上を仕切板で覆ったので、エンジン作業機の機内から油が垂れ落ちてきても、それが油水分離排出装置の中に入るのを防止できる。
【００２１】
また、請求項４にかかる発明においては、請求項１，２又は３にかかるエンジン作業機の漏洩物貯留タンクにおいて、連通部として、油水分離排出装置の底部をすべて開放させたので、急に大量な油や水が入ってきても対応できる。
【００２２】
また、請求項５にかかる発明においては、エンジン作業機の下側に設けられた漏洩物貯留タンクの側壁外側に、有底筒状をしていて上方が開口し、下端部に前記漏洩物貯留タンクと連通する連通孔を有し、壁面の高さを前記側壁の高さより低くした油水分離排出装置を設けた。このようにしても、油水分離排出装置により漏洩物貯留タンク内の油と水を簡単に分離して油の漏れ出しを最少限に抑え、人手をかけずに漏洩物貯留タンクから水だけを排出させることができる。
【００２３】
また、請求項６にかかる発明においては、請求項５にかかるエンジン作業機の漏洩物貯留タンクにおいて、油水分離排出装置の底面が、前記側壁から離れた側が高くなるように傾斜しているので、傾斜部により油水分離排出装置内に入る油の量が少なくなるため、排出部から漏れ出る油の量がより少なくなる。
【図面の簡単な説明】
【００２４】
【図１】第１実施例を示す図である。
【図２】図１の油水分離排出装置を備えたエンジン作業機を示す図である。
【図３】第１実施例の油水分離排出装置周辺を示す図である。
【図４】第１実施例の動作を説明する図である。
【図５】第２実施例を示す図である。
【図６】第３実施例を示す図である。
【図７】第３実施例の動作を説明する図である。
【図８】第４実施例を示す図である。
【図９】第４実施例の油水分離排出装置周辺を示す図である。
【図１０】第４実施例の動作を説明する図である。
【図１１】第５実施例を示す図である。
【図１２】従来の漏洩物貯留タンクを備えたエンジン作業機を示す図である。
【発明を実施するための形態】
【００２５】
以下、本発明の実施例を図面に基づいて詳細に説明する。
【実施例１】
【００２６】
図１は、第１実施例を示す図であり、図２は、図１の油水分離排出装置を備えたエンジン作業機を示す図である。図１，図２において、符号１１〜２０は図１２のものに対応しており、１はベース２０を載せる基台、２は図１２の漏洩物貯留タンク２３と同様な機能を有する漏洩物貯留タンク、３は漏洩物貯留タンク２の中に溜まった液体中の油と水を分離してほとんど水だけを外部に排出するための油水分離排出装置、４，４，４は漏洩物貯留タンク２と油水分離排出装置３とを連通する連通孔、５は油水分離排出装置３の中に溜まった水を外部に排出するための切欠、６は漏洩物貯留タンク２の中の液体を容器に回収する際に液を排出するための排出口、２１，２２はエンジンルームから油水分離排出装置３の中に油が流れ落ちてこないように仕切る仕切板である。
【００２７】
漏洩物貯留タンク２は、上方が開口していて内部に液体を貯留可能な箱状容器であり、その底板は、排出口６の方向に向かって低くなるように傾斜していて、中に溜まった油や水の排出が容易になるようにしている。また、油水分離排出装置３の上端を、漏洩物貯留タンク２の側壁上端より高くして、漏洩物貯留タンク２の上端から油水分離排出装置３内に油が流れ込まないようにしている。
【００２８】
油水分離排出装置３は、図３（Ａ）に平面図、図３（Ｂ）に側面図、図３（Ｃ）にＡ−Ａ断面図を示すように、断面コの字型の金属板を、漏洩物貯留タンク２の側壁内側に溶接等により隙間なく接合して、上下方向に筒状に延びるように形成している。その下端は、漏洩物貯留タンク２の底板に固定しているが、下端部の、漏洩物貯留タンク２内部方向の面及び両側面の三方に漏洩物貯留タンク２の内部と連通する連通部として、連通孔４，４，４を設けている。また、その上端外側に当たる漏洩物貯留タンク２の側壁上端には、油水分離排出装置３内の液体の外部への排出部として、切欠５を設けている。
【００２９】
油水分離排出装置３による油水分離は、燃料やエンジンオイルの油類と水との比重差により、油類が分離浮上する現象を利用している。油水分離排出装置３が設けられた漏洩物貯留タンク２に水と油が入ってくると、比重が大きい水が下で、比重が小さい油が上の２層に別れる。そして、下層にある水だけが連通孔４を通って油水分離排出装置３の中に入り、油水分離排出装置３が満杯になったら、切欠５から油水分離排出装置３内の水だけが排出される。このように、漏洩物貯留タンク２内に水と油が浸入しても、無害な水が優先的に排出されるので、漏洩物貯留タンク２で十分な量の油を受けて貯留することができる。
【００３０】
また、油水分離排出装置３の上を仕切板２１で覆うようにしたので、エンジン作業機の機内から油が垂れ落ちてきても、油水分離排出装置３の中に入ることがない。
【００３１】
ただし、図４（Ａ）に示すように、漏洩物貯留タンク２の中に、初め油が少し溜まっていると、連通孔４を通して油が油水分離排出装置３の中に入ってしまう。そして、その後水が浸入してきた場合、図４（Ｂ）に示すように、水が浸入してくるのにしたがって、油の層を上にして水位が上昇していく。そして、さらに水や油が浸入すると、油水分離排出装置３の中の水位がさらに上昇し、上層の油が切欠５の高さに達した段階で、切欠５からまず油が漏れ出す。そのように、若干の油は外部に漏れ出てしまうが、その後は、図４（Ｃ）に示すように、漏洩物貯留タンク２の中に水や油が浸入してきても、油水分離排出装置３の中は水のみになっているため、切欠５からは水だけが排出される。
【実施例２】
【００３２】
図５は、第２実施例を示す図である。この実施例では、漏洩物貯留タンク２の底板の、油水分離排出装置３が設けられた部分が、漏洩物貯留タンク２の側壁に近い側が高くなるように傾斜させて傾斜部７を設けている。
【００３３】
この実施例によれば、漏洩物貯留タンク２の中に、初め油が少し溜まっていて、その後水が浸入してきた場合、図５（Ａ）に示すように、初め油が少し溜まっている状態では、傾斜部７がある分、油水分離排出装置３内に入る油の量が少なくなる。その後水が浸入してくると、図５（Ｂ）に示すように、水が浸入してくるのにしたがって、油の層を上にして水位が上昇していくが、傾斜部７により油水分離排出装置３内に入った油の量が少なくなったため、切欠５から漏れ出る油の量がより少なくなる。
【実施例３】
【００３４】
図６は、第３実施例を示す図である。この実施例では、油水分離排出装置３の下端部と漏洩物貯留タンク２の底板との間に間隙を開けて、油水分離排出装置３の底面全体と漏洩物貯留タンク２の内部とが連通しており、かつ、油水分離排出装置３が設けられている漏洩物貯留タンク２の側壁上部に排出孔８を設けて、油水分離排出装置３の中に溜まった油や水が、排出孔８から排出されるようにしている。このように、油水分離排出装置３の底面全体と漏洩物貯留タンク２の内部とが連通しているため、漏洩物貯留タンク２の中に、急激に大量の油や水が入ってきても対応できる。
【００３５】
この実施例でも、漏洩物貯留タンク２の中に、初め油が少し溜まっていて、その後水が浸入してきた場合、初め油が少し溜まっている状態では、油水分離排出装置３の下端部と漏洩物貯留タンク２の底板との間の間隙を通して、油水分離排出装置３内に油が入る。そして、さらに水や油が浸入すると、油水分離排出装置３の中の水位がさらに上昇し、上層の油が排出孔８の高さに達した段階で、排出孔８からまず油が漏れ出す。そのように、若干の油は外部に漏れ出てしまうが、その後は、図７に示すように、漏洩物貯留タンク２の中に水や油が浸入してきても、油水分離排出装置３の中は水のみになっているため、排出孔８からは水だけが排出される。
【実施例４】
【００３６】
図８は、第４実施例を示す図である。この実施例では、油水分離排出装置３を、漏洩物貯留タンク２の、排出口６が設けられている側の側壁外側に配置している。油水分離排出装置３は、上方が開口した箱状をしており、下端部に漏洩物貯留タンク２の内部と連通する連通部として連通孔９を有し、外側の壁面上端の高さは漏洩物貯留タンク２の側壁の高さより低くしている。
【００３７】
油水分離排出装置３は、図９（Ａ）に平面図、図９（Ｂ）に側面図、図９（Ｃ）にＢ−Ｂ断面図を示すように、漏洩物貯留タンク２の、底板が最も低くなっている側の側壁外側に設けられ、上方が開口した箱状をしている。そして、下端部に漏洩物貯留タンク２の内部と連通する連通孔９を有し、壁面の高さを漏洩物貯留タンク２の側壁の高さより低くしており、油水分離排出装置３の中が満杯になったら、漏洩物貯留タンク２より先に油水分離排出装置３内の液体が上端縁から外部に漏れ出るようにしている。
【００３８】
また、油水分離排出装置３の上は仕切板２２（図２）で覆われるので、エンジン作業機の機内から油が垂れ落ちてきても、油水分離排出装置３の中に入ることがない。
【００３９】
この実施例でも、漏洩物貯留タンク２の中に、初め油が少し溜まっていて、その後水が浸入してきた場合、図１０（Ａ）に示すように、初め油が少し溜まっている状態では、油の層が連通孔９まで達しないかぎり、漏洩物貯留タンク２の底に留まる。その後、漏洩物貯留タンク２の中に水が浸入してきて水位が上昇し、油の層が連通孔９に達すると、図１０（Ｂ）に示すように、連通孔９を通して、まず油が油水分離排出装置３に入り、さらに水が浸入すると、図１０（Ｃ）に示すように、油水分離排出装置３内の水位は、油の層を上にして、漏洩物貯留タンク２内の水位上昇とともに上昇する。そして、さらに水や油が
浸入すると、油水分離排出装置３の中の水位がさらに上昇し、上層の油が油水分離排出装置３の上端に達した段階で、上端縁からまず油が漏れ出す。そのように、若干の油は外部に漏れ出てしまうが、その後は、図１０（Ｄ）に示すように、漏洩物貯留タンク２の中に水や油が浸入してきても、油水分離排出装置３の中は水のみになっているため、上端縁からは水だけが排出される。
【実施例５】
【００４０】
図１１は、第５実施例を示す図である。この実施例では、油水分離排出装置３の底板が、連通孔９が設けられている側壁から離れるのにしたがって高くなるように傾斜する傾斜部１０を設けている。この実施例でも、図５に示した第２実施例と同様に、漏洩物貯留タンク２の中に、初め油が少し溜まっていて、その後水が浸入してきたとき、傾斜部１０がある分、油水分離排出装置３内に入る油の量が少なくなる。そして、その後水が浸入してくると、水が浸入してくるのにしたがって、油の層を上にして水位が上昇していくが、傾斜部１０により油水分離排出装置３内に入った油の量が少なくなったため、油水分離排出装置３から漏れ出る油の量がより少なくなる。
【符号の説明】
【００４１】
１  基台
２  漏洩物貯留タンク
３  油水分離排出装置
４，９  連通孔
５  切欠
６  排出口
７，１０  傾斜部
８  排出孔
１１  エンジン
１２  発電機
１３  燃料タンク
１４，１６  排気管
１５  マフラ
１７  冷却ファン
１８  ラジエータ
１９  排気ダクト
２０  ベース
２１，２２  仕切板
【図１】
2014159798.tif 000003
【図２】
2014159798.tif 000004
【図３】
2014159798.tif 000005
【図４】
2014159798.tif 000006
【図５】
2014159798.tif 000007
【図６】
2014159798.tif 000008
【図７】
2014159798.tif 000009
【図８】
2014159798.tif 000010
【図９】
2014159798.tif 000011
【図１０】
2014159798.tif 000012
【図１１】
2014159798.tif 000013
【図１２】
2014159798.tif 000014